(57)【特許請求の範囲】
【請求項１】
データセンタに保存管理されている電話帳情報を変更する電話帳情報変更装置において、
電話番号変更通知指示に基づいて、変更者の電話帳情報に登録されている登録者であって、かつ前記変更者の電話番号を登録している登録者の電話帳情報に対して前記変更者の電話番号を変更する電話番号変更手段と、
前記変更者に対して、電話帳情報の変更に先立ってあらかじめ電話帳情報変更要否確認を行う変更確認手段と、
を備えていることを特徴とする電話帳情報変更装置。
【請求項２】
データセンタに保存管理されている電話帳情報を変更する電話帳情報変更装置において、
電話番号変更通知指示に基づいて、変更者が電話帳情報に登録している登録者の情報を抽出する登録者情報抽出手段と、
前記登録者のうち、前記変更者の電話番号を登録している登録者の電話帳情報に対して前記変更者の電話番号を変更する電話番号変更手段と、
前記変更者に対して、電話帳情報の変更に先立ってあらかじめ電話帳情報変更要否確認を行う変更確認手段と、
を備えていることを特徴とする電話帳情報変更装置。
【請求項３】
前記電話番号変更手段により電話帳情報が変更された前記登録者に対して変更通知を行う変更通知手段をさらに備えていることを特徴とする請求項１または２記載の電話帳情報変更装置。
【請求項４】
前記変更者の電話番号が変更された前記登録者の電話帳情報の電話番号差分を前記登録者の携帯電話の電話帳に反映させる電話番号差分反映手段をさらに備えていることを特徴とする請求項１または２記載の電話帳情報変更装置。
【請求項５】
データセンタに保存管理されている電話帳情報を変更する電話帳情報変更方法において、
コンピュータが、
電話番号変更通知指示に基づいて、変更者が電話帳情報に登録している登録者の情報を抽出するステップと、
抽出された前記登録者のうち、前記変更者の電話番号を登録している登録者の電話帳情報に対する電話帳情報変更要否確認を前記変更者に対して行うステップと、
前記電話帳情報変更要否確認にしたがって前記登録者の電話帳情報に対して前記変更者の電話番号を変更するステップと、
を実行することを特徴とする電話帳情報変更方法。
【発明の詳細な説明】
【０００１】
【発明の属する技術分野】
本発明は電話帳情報変更装置に関し、特に携帯電話の電話帳情報を管理しているデータセンタ利用者に対して携帯電話の電話番号変更時の通知や電話帳情報の書き換えを行うようにした電話帳情報変更装置に関する。
【０００２】
携帯電話には、電話帳機能が備えられている。電話帳は、携帯電話に内蔵のメモリに通話相手、電話番号などの個人情報を登録することができる機能である。電話帳に登録されている電話帳情報は、通話相手の個人情報を検索して電話番号を呼び出すことができ、電話を掛けるときに利用される。
【０００３】
【従来の技術】
電話番号は、社会的な問題、たとえばストーカー行為などの迷惑電話に対する対処方法の一つとして変更されることがある。一般に、電話番号を変更した場合には、電話帳に載っている通話相手に個々に電話番号の変更を通知して、相手の携帯電話の電話帳情報を修正してもらうことが行われる。
【０００４】
この電話番号の変更を通話相手に通知して相手の携帯電話の電話帳情報を変更してもらうという作業は、電話帳に登録されたすべての人に対して行う必要があるため、登録件数が多い場合には、相手に電話番号変更の処理をしてもらうのに多大な努力が必要になる。
【０００５】
電話帳情報を通話相手に伝える技術として、特開平９−２８４３７９号公報が知られている。この公報に記載の技術によれば、通話中に自分の電話帳情報の一部または全部を通話相手に転送し、通話相手の電話帳情報を自動的に書き換えるようにしたものである。この技術を使うことにより、変更した電話番号を通話相手に転送するようにすることで、相手の電話帳情報を直接変更することが可能になる。この場合、電話帳に登録してある全員に一人ずつ電話をして相手の携帯電話の電話帳情報を書き換える必要がある。
【０００６】
ところで、自分の携帯電話の電話帳情報を携帯電話事業者側のデータセンタにバックアップを取っておき、携帯電話の故障や紛失の場合にそのバックアップした電話帳情報を利用して修理済みまたは新しい携帯電話に簡単に登録することができるようなサービスが提案されている。
【０００７】
【発明が解決しようとする課題】
しかしながら、このサービスは、利用者本人に対するサービスであり、利用者間同士で互いに電話帳情報を交換したりることはできないため、通話相手から電話番号の変更通知をもらった場合には、自分で電話帳情報を修正しなければならない。
【０００８】
本発明はこのような点に鑑みてなされたものであり、携帯電話の電話帳情報をバックアップしているデータセンタのバックアップデータを利用して、電話番号の変更に伴う電話帳の電話番号の変更作業を相互に行えるようにした電話帳情報変更装置を提供することを目的とする。
【０００９】
【課題を解決するための手段】
図１は上記目的を達成する本発明の原理図である。
本発明による電話帳情報変更装置１０は、データセンタで保存管理されている各利用者の携帯電話の電話帳情報のバックアップデータ１を利用して、ある利用者が行った電話番号変更による電話番号変更通知および電話帳情報の変更を行うものである。
【００１０】
電話帳情報変更装置１０は、変更者または携帯電話事業者からの電話番号変更通知指示に基づいてバックアップデータ１を検索し、変更者の電話帳情報を取得する変更者電話帳情報検索手段１１と、この変更者電話帳情報検索手段１１によって取得した変更者の電話帳情報から電話帳に登録してある登録者の情報を抽出する登録者情報抽出手段１２と、この登録者情報抽出手段１２によって抽出された登録者の情報をもとにバックアップデータ１を検索して登録者の電話帳情報を取得する登録者電話帳情報検索手段１３と、この登録者電話帳情報検索手段１３によって取得した登録者の電話帳情報に変更者の情報が登録されているかどうかを調べ、登録されている場合に電話番号変更の対象として抽出する電話番号変更対象抽出手段１４と、電話番号変更の対象となった被変更者の電話帳情報の変更要否を変更者または被変更者に確認する変更確認手段１５と、バックアップデータ１に対して電話番号変更の対象となった被変更者の電話帳情報またはその中から変更確認手段１５によって変更確認の承認を受けた被変更者の電話帳情報の変更を実施する電話番号変更手段１６と、変更者の情報の電話番号が変更された被変更者に対して変更通知のメールを送信したり変更者に対して変更完了のメールを送信する変更通知手段１７と、変更者の電話番号が変更された被変更者の電話帳情報の電話番号差分を被変更者の携帯電話２の電話帳に反映させる電話番号差分反映手段１８とを備えている。
【００１１】
このような構成の電話帳情報変更装置１０において、変更者または携帯電話事業者から電話番号変更通知指示を受けると、変更者電話帳情報検索手段１１は変更者の電話番号をキーにしてバックアップデータ１を検索し、変更者の電話帳情報を取得する。次に、登録者情報抽出手段１２は、取得した電話帳情報からそこに登録されている通話相手の情報を抽出し、登録者電話帳情報検索手段１３が各登録者の電話番号をキーにしてバックアップデータ１を検索し、登録者の電話帳情報を取得する。電話番号変更対象抽出手段１４は、各登録者の電話帳情報に変更者の情報が存在しているかどうかを判断し、存在している場合には変更者および被変更者は互いに知り合いであると判断し、その登録者の電話帳情報を変更対象の情報とする。
【００１２】
ここで、変更確認手段１５は、必要に応じて、変更対象となった登録者の情報を変更者に送付して変更要否の問い合わせをし、変更者の認証が得られた登録者のみを変更対象にしたり、あるいは、変更対象となった登録者のそれぞれに自分の登録者情報を変更していいかどうかを問い合わせ、登録者の認証が得られた登録者のみを変更対象にする。
【００１３】
次に、変更確認手段１５が変更対象となった登録者の電話帳情報に対し、変更者の電話番号の変更を実施する。その後、変更者の電話番号の変更が実施された被変更者それぞれに変更通知のメールを発信したり、必要に応じて、変更者に変更完了のメールを発信する。そして、電話番号差分反映手段１８は、被変更者の要望に応じて、被変更者の電話帳情報の電話番号差分を被変更者の携帯電話２に転送して、その電話帳に反映させる。
【００１４】
また、電話番号変更通知指示に基づいて携帯電話の電話帳情報をバックアップしているバックアップデータを検索して変更者の電話帳情報を取得する変更者電話帳情報検索手段、前記変更者電話帳情報検索手段によって取得した変更者の電話帳情報から電話帳に登録してある登録者の情報を抽出する登録者情報抽出手段、前記登録者情報抽出手段によって抽出された登録者の情報をもとに前記バックアップデータを検索して登録者の電話帳情報を取得する登録者電話帳情報検索手段、前記登録者電話帳情報検索手段によって取得した登録者の電話帳情報に前記変更者の情報を検索して存在する場合に電話番号変更の対象とする電話番号変更対象抽出手段、電話番号変更の対象となった被変更者の電話帳情報の変更要否を前記変更者または前記被変更者に確認する変更確認手段、前記変更確認手段によって変更確認の承認を受けた電話番号変更対象の前記バックアップデータに対して前記変更者の情報の電話番号を変更する電話番号変更手段、前記変更者および／または被変更者に対して変更通知のメールを送信する変更通知手段、前記変更者の電話番号が変更された被変更者の電話帳情報の電話番号差分を前記被変更者の携帯電話の電話帳に反映させる電話番号差分反映手段を機能させるためのプログラムを記録したコンピュータ読み取り可能な記録媒体が提供される。
【００１５】
この媒体に記録された電話帳情報変更プログラムをコンピュータに実行させることにより、変更者電話帳情報検索手段と、登録者情報抽出手段と、登録者電話帳情報検索手段と、電話番号変更対象抽出手段と、変更確認手段と、電話番号変更手段と、変更通知手段と、電話番号差分反映手段と、の各機能がコンピュータによって実現できる。
【００１６】
【発明の実施の形態】
まず、本発明の概略について図面を参照して説明する。
図１は本発明の動作原理を説明する原理図である。
【００１７】
本発明による電話帳情報変更装置１０は、各利用者の携帯電話の電話帳情報をデータセンタでバックアップしているバックアップデータ１を利用して、ある利用者が行った電話番号の変更に伴い、その変更者が持つ携帯電話の電話帳に登録している通話相手に電話番号変更通知を行ったり通話相手の電話帳情報に登録されている変更者の電話番号の変更を行うものである。
【００１８】
電話帳情報変更装置１０は、変更者電話帳情報検索手段１１と、登録者情報抽出手段１２と、登録者電話帳情報検索手段１３と、電話番号変更対象抽出手段１４と、変更確認手段１５と、電話番号変更手段１６と、変更通知手段１７と、電話番号差分反映手段１８とを備えている。
【００１９】
変更者電話帳情報検索手段１１は、変更者または携帯電話事業者からの電話番号変更通知指示に基づいてバックアップデータ１を検索し、変更者の電話帳情報を取得する。登録者情報抽出手段１２は、変更者電話帳情報検索手段１１によって取得した変更者の電話帳情報から電話帳に登録してある登録者の情報を抽出する。登録者電話帳情報検索手段１３は、登録者情報抽出手段１２によって抽出された登録者の情報をもとにバックアップデータ１を検索して登録者の電話帳情報を取得する。電話番号変更対象抽出手段１４は、登録者電話帳情報検索手段１３によって取得した登録者の電話帳情報に変更者の情報が登録されているかどうかを調べ、登録されている場合に電話番号変更の対象として抽出する。変更確認手段１５は、電話番号変更の対象となった被変更者の電話帳情報の変更要否を変更者または被変更者に確認する。電話番号変更手段１６は、バックアップデータ１に対して電話番号変更の対象となった被変更者の電話帳情報またはその中から変更確認手段１５によって変更確認の承認を受けた被変更者の電話帳情報の変更を実施する。変更通知手段１７は、変更者の情報の電話番号が変更された被変更者に対して変更通知のメールを送信したり変更者に対して変更完了のメールを送信する。電話番号差分反映手段１８は、変更者の電話番号が変更された被変更者の電話帳情報の電話番号差分を被変更者の携帯電話２の電話帳に反映させる。
【００２０】
以上の構成において、電話帳情報変更装置１０が変更者または携帯電話事業者から電話番号変更通知指示を受けると、変更者電話帳情報検索手段１１は、まずその変更者の電話番号をキーにしてバックアップデータ１を検索し、変更者の電話帳情報を取得する。次に、登録者情報抽出手段１２がその取得した電話帳情報からそこに登録されている通話相手の情報を抽出し、登録者電話帳情報検索手段１３が各登録者の電話番号をキーにしてバックアップデータ１を検索し、登録者の電話帳情報を取得する。
【００２１】
次に、電話番号変更対象抽出手段１４は、各登録者の電話帳情報に変更者の情報が存在しているかどうかを判断する。存在している場合には、変更者および被変更者は互いに知り合いであると判断し、その登録者の電話帳情報を変更対象の情報とする。
【００２２】
ここで、必要ならば、変更確認手段１５が変更対象となった登録者の情報を変更者に送付して変更するかどうかの問い合わせをし、変更者の認証が得られた登録者のみを変更対象とする。あるいは、変更対象となった登録者のそれぞれに自分の登録者情報を変更していいかどうかを問い合わせ、登録者の認証が得られた登録者のみを変更対象にする。
【００２３】
次に、変更対象となった登録者の電話帳情報に対し、変更確認手段１５が変更者の電話番号の変更を実施する。その後、変更者の電話番号の変更が実施された被変更者それぞれに変更通知のメールを発信する。また、必要に応じて、変更者に変更完了のメールを発信する。そして、電話番号差分反映手段１８は、被変更者の要望に応じて、被変更者の電話帳情報の電話番号差分を被変更者の携帯電話２に転送して、その電話帳に反映させる。
【００２４】
以上のように、変更者および被変更者の間で互いに認知状態になっていない場合では、電話番号の書き換えは実施されないため、迷惑・いたずらなどの抑止になる。
【００２５】
次に、図２を参照して本発明の実施の形態の構成例について説明する。
図２は本発明の実施の形態の構成例を示す図である。
この図に示すように、本発明の実施の形態では、複数の利用者の携帯電話２１，２２，２３と、携帯電話網２４と、サーバ２５と、バックアップデータ２６とを含む要素によって構成されている。
【００２６】
ここで、サーバ２５は、ＣＰＵ（Central Processing Unit）２５ａ、ＲＯＭ（Read Only Memory）２５ｂ、ＲＡＭ（Random Access Memory）２５ｃ、ＨＤＤ（Hard Disk Drive）２５ｄおよびＩ／Ｆ（Interface）２５ｅ，２５ｆを含むコンピュータによって構成されている。
【００２７】
ＣＰＵ２５ａは、装置の各部を制御するとともに、ＨＤＤ２５ｄに格納されているプログラムに応じて種々の演算を実行する。
ＲＯＭ２５ｂは、ＣＰＵ２５ａが実行する基本的なプログラムやデータを格納している。
【００２８】
ＲＡＭ２５ｃは、ＣＰＵ２５ａが実行するプログラムや演算途中のデータを一時的に格納する。
ＨＤＤ２５ｄは、ＣＰＵ２５ａが実行するプログラムや処理対象となるデータを格納している。ここでは、ＨＤＤ２５ｄにたとえば電話番号変更通知プログラムが格納されている。
【００２９】
Ｉ／Ｆ２５ｅは、携帯電話網２４を介して携帯電話２１〜２３と情報を授受する際に、データの表現形式を適宜変更する。
Ｉ／Ｆ２５ｆは、バックアップデータ２６と情報を授受する際に、データの表現形式を適宜変更する。
【００３０】
バックアップデータ２６は、各携帯電話２１〜２３が持っている電話帳の情報をそれぞれバックアップしたもので、データセンタにて管理されている。もちろん、このサーバ２５がこのバックアップデータ２６を直接管理するようにしてもよい。
【００３１】
次に、以上の構成の動作について説明する。
ここで、たとえば携帯電話２１〜２３の所有者は互いに知り合いであり、それぞれの電話帳にお互いの電話番号を登録してあり、それらの電話帳情報はバックアップデータ２６にバックアップされているとする。
【００３２】
ある利用者が自分の携帯電話、たとえば携帯電話２１の電話番号を変更したとする。この場合、他の利用者に対して電話番号が変更されたことを通知して他の利用者の携帯電話２２，２３の電話帳に登録されている変更者の電話番号を変更するものとする。
【００３３】
まず、変更者は、携帯電話２１を使って電話番号変更通知機能を選択する。サーバ２５では、ＣＰＵ２５ａが電話番号変更通知プログラムを実行し、バックアップデータ２６から携帯電話２２，２３の電話帳情報を呼び出し、登録されている携帯電話２１の電話番号を新しい電話番号に書き換える。なお、電話番号を書き換える前に、電話番号を変更した利用者または他の利用者に電話番号を変更要否を問い合わせ、電話番号を変更した利用者または他の利用者の判断で最終的に変更するかどうかを決定するようにしてもよい。その後、携帯電話２２，２３に対して携帯電話２１の電話番号が変更されたことをメールで通知する。また、バックアップデータ２６における携帯電話２２，２３の電話帳情報は、その電話番号差分を携帯電話２２，２３に転送してそれらの電話帳に反映させるようにしてもよい。
【００３４】
次に、電話番号変更通知プログラムの具体的な処理の流れについて詳細に説明する。
まず、電話番号変更通知機能を利用するには、利用者はあらかじめデータセンタとバックアップ契約を交わしており、バックアップデータ２６に電話帳情報が保存されているとする。その電話帳情報は、図３に示したように、利用者（鈴木太郎）の電話番号および氏名と複数の登録者の電話番号および氏名を記録している。
【００３５】
ここで、一例として利用者（鈴木太郎）の電話番号が「０９０−ＡＡＡＡ−ＢＢＢＢ」から「０９０−ＹＹＹＹ−ＺＺＺＺ」に変わったことを想定する。そして、この利用者が携帯電話のサービスメニューに設定されている電話番号変更通知機能を利用して変更を通知するとする。この場合の画面イメージを図４および図５に示す。
【００３６】
図４は更新タイミングをリアル更新に設定した場合の電話番号変更通知機能の画面イメージ例を示す図、図５は更新タイミングを時間指定に設定した場合の電話番号変更通知機能の画面イメージ例を示す図である。電話番号変更通知機能の画面３０は、旧電話番号入力欄３１と、新電話番号入力欄３２と、更新タイミング指定欄３３と、再入力指定ボタン３４と、実行ボタン３５とが設けられている。電話番号変更通知機能は、旧電話番号入力欄３１に旧電話番号を入力し、新電話番号入力欄３２に新電話番号を入力し、更新タイミングを指定して実行ボタン３５を押すことにより、開始される。図４に示したように、更新タイミングをリアル更新に指定した場合には、電話帳に登録した通話相手の電話帳情報をリアルタイムで更新することができ、図５に示したように、更新タイミングを時間指定した場合は、指定した時間に更新することができる。
【００３７】
なお、以下の説明では、携帯電話利用者を区別するために、電話番号が変わった利用者を変更者、電話帳に登録されている通話相手を登録者または被変更者ということがある。
【００３８】
図６は電話番号変更通知に関する第１の処理例の流れを示すフローチャートである。
変更者（鈴木太郎）が電話番号変更通知機能を選択し、リアル更新を指定して新旧の電話番号を通知したとすると、サーバ２５は、旧電話番号をもとにバックアップデータ２６を検索して変更者の電話帳情報（図３参照）を取得する（ステップＳ１）。このとき、変更者の電話帳情報の電話番号を新電話番号に書き換えるようにしてもよい。
【００３９】
次に、その電話帳情報から１件ずつ登録者の電話番号を抽出する（ステップＳ２）。ここで、登録者がいない場合または抽出すべき登録者がいなくなった場合にはこの処理を終了する（ステップＳ３，Ｓ４）。
【００４０】
次に、抽出した登録者の電話番号をもとにバックアップデータ２６を検索して登録者の電話帳情報を取得する（ステップＳ５）。ここで、取得した電話帳情報の中に変更者が存在するかどうかが判断され（ステップＳ６）、存在しなければ、ステップＳ２に戻って次の登録者の電話番号抽出に進む。登録者の電話帳情報の中に変更者が存在する場合には、両者は知り合いであると判断し、登録者の電話帳情報にある変更者の電話番号を新電話番号に書き換える（ステップＳ７）。そして、変更者の電話番号が変更されたことを登録者にメールで通知する（ステップＳ８）。その後、次の登録者の電話番号を抽出するため、ステップＳ２に戻る。なお、更新タイミングを時間指定した場合は、新電話番号への書き換えは指定した時間に行われる。
【００４１】
以上の変更者の電話帳情報取得後の流れを、図３に示した変更者の電話帳情報を例に説明する。変更者である「鈴木太郎」の電話帳情報を見ると、その１件目に「山田花子」が登録されている。ここで、１件目のデータ抽出に基づいて検索した登録者「山田花子」の電話帳情報が、図７の（Ａ）に示した内容であったとする。この電話帳情報を見ると、変更者の「鈴木太郎」が登録されているので、図７の（Ｂ）に示したように、「山田花子」の電話帳情報に登録されている「鈴木太郎」の電話番号を新電話番号に書き換える。その後、「山田花子」宛に「鈴木太郎さんの電話番号を変更しました」という内容のメールを送信する。
【００４２】
一方、図８の（Ａ）に示したように、変更者の「鈴木太郎」の電話帳情報に「佐々木次郎」を含んでいるが、（Ｂ）に示したように、「佐々木次郎」の電話帳情報には「鈴木太郎」が含まれていない場合には、図６のステップＳ６の判断において、登録者の電話帳情報に変更者が存在していないと判断される。登録者の電話帳情報には、変更しようとするデータそのものがないため、登録者の電話帳情報はそのままである。また、登録者「佐々木次郎」に対して電話番号変更の通知も行わない。
【００４３】
図９は電話番号変更通知に関する第２の処理例の流れを示すフローチャートである。
この例では、利用者の電話番号の変更は、事業者から通知された場合を示している。まず、事業者から利用者の電話番号変更通知がくると、サーバ２５は、旧電話番号をもとにバックアップデータ２６を検索して変更者の電話帳情報を取得し（ステップＳ１１）、変更者の電話番号を新電話番号に書き換える（ステップＳ１２）。
【００４４】
次に、その電話帳情報から登録者の電話番号を抽出する（ステップＳ１３）。ここで、登録者がいない場合または抽出すべき登録者がいなくなった場合にはこの処理を終了する（ステップＳ１４，Ｓ１５）。
【００４５】
次に、抽出した登録者の電話番号をもとにバックアップデータ２６を検索して登録者の電話帳情報を取得する（ステップＳ１６）。ここで、取得した電話帳情報の中に変更者が存在するかどうかが判断され（ステップＳ１７）、存在しなければ、ステップＳ１３に戻って次の登録者の電話番号抽出に進む。登録者の電話帳情報の中に変更者が存在する場合には、登録者の電話帳情報にある変更者の電話番号を新電話番号に書き換え（ステップＳ１８）、変更者の電話番号が変更されたことを登録者にメールで通知する（ステップＳ１９）。その後、次の登録者の電話番号を抽出するために、ステップＳ１３に戻る。
【００４６】
図１０は電話番号変更通知に関する第３の処理例の流れを示すフローチャートである。
変更者が電話番号変更通知機能を選択し、新旧の電話番号を通知すると、サーバ２５は、旧電話番号をもとにバックアップデータ２６を検索して変更者の電話帳情報を取得する（ステップＳ２１）。このとき、変更者の電話帳情報の電話番号を新電話番号に書き換えるようにしてもよい。
【００４７】
次に、その変更者の電話帳情報から１件ずつ登録者の電話番号を抽出する（ステップＳ２２）。ここで、登録者が存在するかどうかを判断し（ステップＳ２３）、いない場合にはこの処理を終了する。次に、すべての登録者が抽出されたかどうかが判断される（ステップＳ２４）。登録者が抽出された場合には、抽出した登録者の電話番号をもとにバックアップデータ２６を検索して登録者の電話帳情報を取得する（ステップＳ２５）。ここで、取得した電話帳情報の中に変更者が存在するかどうかが判断される（ステップＳ２６）。変更者が存在しなければ、ステップＳ２２に戻って次の登録者の電話番号抽出に進む。登録者の電話帳情報の中に変更者が存在する場合には、その登録者に対して変更確認の通知を出して（ステップＳ２７）、ステップＳ２２に戻る。
【００４８】
このとき、変更確認の通知を受けた利用者の携帯電話は、図１１に示すような画面表示となる。変更確認通知画面４０は、変更者の電話番号変更通知メッセージ４１と、電話帳情報を新電話番号へ変更するか否かを指定するチェックボックス４２と、更新タイミング指定欄４３と、再入力指定ボタン４４と、実行ボタン４５とが設けられている。ここで、電話帳情報を新電話番号へ変更するか否かを指定して、実行ボタン３５を押すことにより、登録者の変更意思確認が返送されることになる。
【００４９】
以上のようにして、すべての登録者の抽出、登録者の電話帳情報の取得、変更者の登録チェックおよび変更確認通知の送出が終わると、通知を出した登録者からの変更確認の受信待ちとなる。
【００５０】
まず、通知を出した全員から応答があったかどうかが判断され（ステップＳ２８）、全員からの応答があった場合には、この処理を終了する。通知を出した登録者から変更確認が受信されると（ステップＳ２９）、変更を承認したかどうかが判断される（ステップＳ３０）。変更を承認していない場合は、ステップＳ２８に戻り、次の変更確認の受信待ちとなる。変更を承認した場合は、登録者の電話帳情報にある変更者の電話番号を新電話番号に書き換え（ステップＳ３１）、変更者の電話番号が変更されたことを登録者にメールで通知する（ステップＳ３２）。そして、ステップＳ２８に戻り、通知を出した登録者からの受信待ちとなる。なお、更新タイミングを時間指定した場合は、新電話番号への書き換えは指定した時間に行われる。
【００５１】
図１２は電話番号変更通知に関する第４の処理例の流れを示すフローチャートである。
変更者が電話番号変更通知機能を選択し、リアル更新を指定して新旧の電話番号を通知したとすると、サーバ２５は、旧電話番号をもとにバックアップデータ２６を検索して変更者の電話帳情報を取得する（ステップＳ４１）。このとき、変更者の電話帳情報の電話番号を新電話番号に書き換えるようにしてもよい。
【００５２】
次に、その変更者の電話帳情報から１件ずつ登録者の電話番号を抽出する（ステップＳ４２）。ここで、登録者が存在するかどうかを判断し（ステップＳ４３）、いない場合には、変更者にその旨の通知を出して（ステップＳ４４）、この処理を終了する。次に、すべての登録者が抽出されたかどうかが判断される（ステップＳ４５）。登録者が抽出された場合には、抽出した登録者の電話番号をもとにバックアップデータ２６を検索して登録者の電話帳情報を取得する（ステップＳ４６）。ここで、取得した電話帳情報の中に変更者が存在するかどうかが判断される（ステップＳ４７）。変更者が存在しなければ、ステップＳ４２に戻って次の登録者の電話番号抽出に進む。登録者の電話帳情報の中に変更者が存在する場合には、その登録者を変更対象者として蓄積し（ステップＳ４８）、ステップＳ４２に戻る。このとき、蓄積された変更対象者のデータは、たとえば図１３に示した３件であったとする。このデータによれば、変更者である「鈴木太郎」がすべての登録者の電話帳情報に含まれていることがわかる。
【００５３】
すべての登録者の抽出、登録者の電話帳情報の取得および変更者の登録チェックが終わると、変更者に変更確認の通知を出す（ステップＳ４９）。
このとき、変更確認の通知を受けた変更者の携帯電話は、図１４に示すような画面表示となる。変更確認通知画面５０は、更新対象者を選択する旨のメッセージ５１と、更新対象者のリストとともに更新対象者を指定するチェックボックス５２と、再入力指定ボタン５３と、実行ボタン５４とが設けられている。ここで、リストアップされた登録者の中で電話番号を変更して欲しい登録者をチェックして、実行ボタン５４を押すことにより、変更者の変更意思確認が返送されることになる。この例では、更新対象者は３人いるが、変更者が変更を望んだ人は「山田花子」と「斎藤明美」の２人である。
【００５４】
変更者からの変更確認を受信すると（ステップＳ５０）、次に、変更者によって指示された変更対象である被変更者の電話帳情報にある変更者の電話番号を新電話番号に書き換え（ステップＳ５１）、変更者の電話番号が変更されたことを登録者にメールで通知し（ステップＳ５２）、変更完了を変更者に通知する（ステップＳ５３）。なお、最初に変更者が更新タイミングを時間指定した場合は、新電話番号への書き換えは指定した時間に行われる。
【００５５】
以上の処理による電話番号の書き換えは、図１５の（Ａ）に示したように、変更者が指定した変更対象の被変更者は２人であり、書き換えた結果は、変更者である「鈴木太郎」の電話番号が、（Ｂ）に示したように、それぞれ新電話番号に変更されていることがわかる。
【００５６】
図１６は電話番号変更通知に関する第５の処理例の流れを示すフローチャートである。
変更者が電話番号変更通知機能を選択し、リアル更新を指定して新旧の電話番号を通知したとすると、サーバ２５は、旧電話番号をもとにバックアップデータ２６を検索して変更者の電話帳情報を取得する（ステップＳ６１）。このとき、変更者の電話帳情報の電話番号を新電話番号に書き換えるようにしてもよい。
【００５７】
次に、その電話帳情報から登録者の電話番号を抽出する（ステップＳ６２）。ここで、登録者がいない場合または抽出すべき登録者がいなくなった場合にはこの処理を終了する（ステップＳ６３，Ｓ６４）。
【００５８】
次に、抽出した登録者の電話番号をもとにバックアップデータ２６を検索して登録者の電話帳情報を取得する（ステップＳ６５）。ここで、取得した電話帳情報の中に変更者が存在するかどうかが判断され（ステップＳ６６）、存在しなければ、ステップＳ６２に戻って次の登録者の電話番号抽出に進む。登録者の電話帳情報の中に変更者が存在する場合には、登録者の電話帳情報にある変更者の電話番号を新電話番号に書き換え（ステップＳ６７）、変更者の電話番号が変更されたことを被変更者にメールで通知し（ステップＳ６８）、さらに、バックアップデータ２６をもとに電話番号差分を抽出し、その電話番号差分を被変更者の携帯電話に転送してその携帯電話の電話帳に反映させる（ステップＳ６９）。その後、次の登録者の電話番号を抽出するためにステップＳ６２に戻る。これにより、被変更者の電話帳は、自動的に書き換えられるため、変更者の電話番号変更通知を受けて自分で変更する手間を省くことができる。
【００５９】
また、上記のサーバが有すべき機能の処理内容は、コンピュータで読み取り可能な記録媒体に記録されたプログラムに記述させておくことができる。このプログラムをコンピュータで実行することにより、上記処理がコンピュータで実現できる。コンピュータで読み取り可能な記録媒体としては、磁気記録装置や半導体メモリなどがある。市場に流通させる場合には、ＣＤ−ＲＯＭ（Compact Disk Read Only Memory）やフロッピーディスクなどの可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置などにプログラムを格納しておき、メインメモリにロードして実行する。
【００６０】
（付記１）  データセンタに保存管理されている電話帳情報を変更する電話帳情報変更装置において、
電話番号変更通知指示に基づいて、変更者の電話番号を登録している登録者の電話帳情報に対して前記変更者の電話番号を変更する電話番号変更手段を備えていることを特徴とする電話帳情報変更装置。
【００６１】
（付記２）  データセンタに保存管理されている電話帳情報を変更する電話帳情報変更装置において、
電話番号変更通知指示に基づいて、変更者が電話帳情報に登録している登録者の情報を抽出する登録者情報抽出手段と、
前記登録者のうち、前記変更者の電話番号を登録している登録者の電話帳情報に対して前記変更者の電話番号を変更する電話番号変更手段と、
を備えていることを特徴とする電話帳情報変更装置。
【００６２】
（付記３）  前記電話番号変更手段により電話帳情報が変更された登録者に対して変更通知を行う変更通知手段をさらに備えていることを特徴とする付記１または２記載の電話帳情報変更装置。
【００６３】
（付記４）  前記変更者に対して、電話帳情報の変更に先立ってあらかじめ電話帳情報変更要否確認を行う変更確認手段をさらに備えていることを特徴とする付記１または２記載の電話帳情報変更装置。
【００６４】
（付記５）  前記登録者に対して、電話帳情報の変更に先立ってあらかじめ電話帳情報変更要否確認を行う変更確認手段をさらに備えていることを特徴とする付記１または２記載の電話帳情報変更装置。
【００６５】
（付記６）  前記変更確認手段は、前記電話番号変更手段が実施する時刻を前記登録者が指定できるようにしたことを特徴とする付記５記載の電話帳情報変更装置。
【００６６】
（付記７）  前記電話番号変更通知指示は、前記変更者からの指示であることを特徴とする付記１または２記載の電話帳情報変更装置。
（付記８）  前記電話番号変更通知指示は、携帯電話事業者からの指示であることを特徴とする付記１または２記載の電話帳情報変更装置。
【００６７】
（付記９）  前記携帯電話事業者からの電話番号変更通知指示に基づいて、前記電話番号変更手段により変更者の電話帳情報の電話番号を新電話番号に変更することを特徴とする付記８記載の電話帳情報変更装置。
【００６８】
（付記１０）  前記変更者の電話番号が変更された登録者の電話帳情報の電話番号差分を前記登録者の携帯電話の電話帳に反映させる電話番号差分反映手段をさらに備えていることを特徴とする付記１または２記載の電話帳情報変更装置。
【００６９】
（付記１１）  データセンタに保存管理されている電話帳情報を変更する電話帳情報変更方法において、
電話番号変更通知指示に基づいて、変更者の電話番号を登録している登録者の電話帳情報に対して前記変更者の電話番号を変更するステップを備えていることを特徴とする電話帳情報変更方法。
【００７０】
（付記１２）  電話番号変更通知指示に基づいて携帯電話の電話帳情報をバックアップしているバックアップデータを検索して変更者の電話帳情報を取得する変更者電話帳情報検索手段、前記変更者電話帳情報検索手段によって取得した変更者の電話帳情報から電話帳に登録してある登録者の情報を抽出する登録者情報抽出手段、前記登録者情報抽出手段によって抽出された登録者の情報をもとに前記バックアップデータを検索して登録者の電話帳情報を取得する登録者電話帳情報検索手段、前記登録者電話帳情報検索手段によって取得した登録者の電話帳情報に前記変更者の情報を検索して存在する場合に電話番号変更の対象とする電話番号変更対象抽出手段、電話番号変更の対象となった被変更者の電話帳情報の変更要否を前記変更者または前記被変更者に確認する変更確認手段、前記変更確認手段によって変更確認の承認を受けた電話番号変更対象の前記バックアップデータに対して前記変更者の情報の電話番号を変更する電話番号変更手段、前記変更者および／または被変更者に対して変更通知のメールを送信する変更通知手段、前記変更者の電話番号が変更された被変更者の電話帳情報の電話番号差分を前記被変更者の携帯電話の電話帳に反映させる電話番号差分反映手段を機能させるためのプログラムを記録したコンピュータ読み取り可能な記録媒体。
【００７１】
【発明の効果】
以上説明したように本発明では、携帯電話の電話帳情報のバックアップデータを利用し、電話番号変更者の電話帳情報に登録されている情報とその登録された通話相手の電話帳情報に登録されている情報とが整合した場合にのみ、通話相手の電話帳情報を書き換え、通話相手に通知するように構成した。このため、互いに知り合いである場合にのみ、通話相手の電話帳情報を自動的に変更することができる。したがって、知らない相手からの迷惑電話に悩む人が電話番号を変更した場合、自分の電話帳にはそのような相手の電話番号を登録していないので、登録者情報を抽出する段階で抽出されることはなく、相手に変更した電話番号を知られることはない。
【図面の簡単な説明】
【図１】本発明の動作原理を説明する原理図である。
【図２】本発明の実施の形態の構成例を示す図である。
【図３】電話帳情報の内容例を示す図である。
【図４】更新タイミングをリアル更新に設定した場合の電話番号変更通知機能の画面イメージ例を示す図である。
【図５】更新タイミングを時間指定に設定した場合の電話番号変更通知機能の画面イメージ例を示す図である。
【図６】電話番号変更通知に関する第１の処理例の流れを示すフローチャートである。
【図７】登録者の電話帳情報を示す図であって、（Ａ）は変更前の情報を示し、（Ｂ）は変更後の情報を示している。
【図８】電話帳情報を示す図であって、（Ａ）は変更者の情報を示し、（Ｂ）は変更者の情報を含まない登録者の情報を示している。
【図９】電話番号変更通知に関する第２の処理例の流れを示すフローチャートである。
【図１０】電話番号変更通知に関する第３の処理例の流れを示すフローチャートである。
【図１１】変更確認の通知を受けた被変更者の携帯電話の画面表示例を示す図である。
【図１２】電話番号変更通知に関する第４の処理例の流れを示すフローチャートである。
【図１３】蓄積された変更対象者の電話帳情報を示す図である。
【図１４】変更者が受けた変更確認通知画面の表示例を示す図である。
【図１５】変更者が指定した被変更者の電話帳情報を示す図であって、（Ａ）は変更前の情報を示し、（Ｂ）は変更後の情報を示している。
【図１６】電話番号変更通知に関する第５の処理例の流れを示すフローチャートである。
【符号の説明】
１  バックアップデータ
２  被変更者の携帯電話
１０  電話帳情報変更装置
１１  変更者電話帳情報検索手段
１２  登録者情報抽出手段
１３  登録者電話帳情報検索手段
１４  電話番号変更対象抽出手段
１５  変更確認手段
１６  電話番号変更手段
１７  変更通知手段
１８  電話番号差分反映手段
【図１】
0004030255.tif 000002
【図２】
0004030255.tif 000003
【図３】
0004030255.tif 000004
【図４】
0004030255.tif 000005
【図５】
0004030255.tif 000006
【図６】
0004030255.tif 000007
【図７】
0004030255.tif 000008
【図８】
0004030255.tif 000009
【図９】
0004030255.tif 000010
【図１０】
0004030255.tif 000011
【図１１】
0004030255.tif 000012
【図１２】
0004030255.tif 000013
【図１３】
0004030255.tif 000014
【図１４】
0004030255.tif 000015
【図１５】
0004030255.tif 000016
【図１６】
0004030255.tif 000017